(57)【要約】  本開示は、無線通信システムの情報伝送方法および機器を提供する。本開示の実施例の無線通信システムの情報伝送方法において、アップリンクとダウンリンクで異なるヌメロロジーが用いられる場合の単位粒度が与えられ、当該単位粒度を単位に、対応する時系列関係を与え、５Ｇ  ＮＲのスケジューリング設計の基本となる。【選択図】  図１
2020524961.tif 000002
【特許請求の範囲】
【請求項１】
通信相手から第１時間領域伝送ユニットで送信される第１情報を受信するステップと、
第２時間領域伝送ユニットで通信相手に第２情報を送信するステップとを含み、
ここで、各時間領域伝送ユニットは、アップリンク伝送リソースまたはダウンリンク伝送リソースに対応し、アップリンク伝送リソースとダウンリンク伝送リソースとは、異なるヌメロロジーを有し、第１時間領域伝送ユニットと第２時間領域伝送ユニットとの間の時系列関係は、参照ヌメロロジーに対応する単位粒度を単位に示される、無線通信システムの情報伝送方法。
【請求項２】
前記ヌメロロジーは、
サブキャリア間隔、シンボル長、時間領域伝送ユニットの中のシンボル数のうちの少なくとも１つを含む、請求項１に記載の方法。
【請求項３】
前記参照ヌメロロジーは、
ダウンリンク伝送リソースのヌメロロジーとは異なり、
または、アップリンク伝送リソースのヌメロロジーとは異なり、
または、アップリンク伝送リソースとダウンリンク伝送リソースのヌメロロジーとは異なる、請求項１に記載の方法。
【請求項４】
前記時系列関係は、
第１時間領域伝送ユニットに対する第２時間領域伝送ユニットのシフト値を含み、
前記シフト値は、前記単位粒度を単位に示される、請求項１に記載の方法。
【請求項５】
前記通信相手が端末である場合、
前記時系列関係、アップリンク伝送リソースのヌメロロジー、ダウンリンク伝送リソースのヌメロロジー、時間領域伝送ユニットの伝送方向および前記単位粒度のうちの少なくとも１つを、予め前記端末に対し設定するステップをさらに含む、請求項１に記載の方法。
【請求項６】
前記の第２時間領域伝送ユニットで通信相手に第２情報を送信するステップは、
第１情報が位置する単位粒度の第１番号および前記時系列関係に基づいて、第２番号を特定するステップと、
前記第２番号に対応する第２時間領域伝送ユニットで第２情報を送信するステップとを含む、請求項１に記載の方法。
【請求項７】
アップリンク伝送リソースとダウンリンク伝送リソースのヌメロロジーに対応する時間領域伝送ユニットは、同じ時間領域長を有し、
前記単位粒度は、アップリンク伝送リソースまたはダウンリンク伝送リソースのヌメロロジーに対応する時間領域伝送ユニットである、請求項１〜６のいずれか一項に記載の方法。
【請求項８】
前記アップリンク伝送リソースのヌメロロジーとダウンリンク伝送リソースのヌメロロジーとは、異なるシンボル長、同じシンボル数および異なるサブキャリア間隔を有し、
または、前記アップリンク伝送リソースのヌメロロジーとダウンリンク伝送リソースのヌメロロジーとは、同じシンボル長、同じサブキャリア間隔および異なるシンボル数を有し、
前記単位粒度は、ダウンリンク伝送リソースのヌメロロジーに対応する時間領域伝送ユニットおよびアップリンク伝送リソースのヌメロロジーに対応する時間領域伝送ユニットを含む、請求項１〜６のいずれか一項に記載の方法。
【請求項９】
前記アップリンク伝送リソースのヌメロロジーとダウンリンク伝送リソースのヌメロロジーとは、異なるシンボル長、同じシンボル数および異なるサブキャリア間隔を有し、
または、前記アップリンク伝送リソースのヌメロロジーとダウンリンク伝送リソースのヌメロロジーとは、同じシンボル長、同じサブキャリア間隔および異なるシンボル数を有し、
前記単位スケジューリング粒度は、ダウンリンク伝送リソースのヌメロロジーに対応する時間領域伝送ユニットである、請求項１〜６のいずれか一項に記載の方法。
【請求項１０】
前記ダウンリンク伝送リソースのヌメロロジーの中のサブキャリア間隔が前記アップリンク伝送リソースのヌメロロジーの中のサブキャリア間隔のＷ（１より大きい偶数）倍であり、または、前記アップリンク伝送リソースのヌメロロジーに対応する時間領域伝送ユニットのシンボル数が前記ダウンリンク伝送リソースのヌメロロジーに対応する時間領域伝送ユニットのシンボル数のＷ倍であれば、前記第１時間領域伝送ユニットが番号ｎ（１より大きい整数）の単位粒度に位置する場合、前記第２時間領域伝送ユニットは、番号ｎ＋ｋ０（１より大きい整数）の単位粒度に位置し、かつ第１時間領域伝送ユニットがダウンリンク伝送リソースであり、第２時間領域伝送ユニットがアップリンク伝送リソースである場合、番号ｎ＋ｋ０の単位粒度は、前記第２時間領域伝送ユニットの中の所定位置に位置し、かつ第１時間領域伝送ユニットがアップリンク伝送リソースであり、第２時間領域伝送ユニットがダウンリンク伝送リソースである場合、第１時間領域伝送ユニットと第２時間領域伝送ユニットとの間の時系列関係として、番号ｎの単位粒度が位置する前記第１時間領域伝送ユニットの終了位置から計時を開始し、
前記アップリンク伝送リソースのヌメロロジーの中のサブキャリア間隔が前記ダウンリンク伝送リソースのヌメロロジーの中のサブキャリア間隔のＷ倍であり、または、前記ダウンリンク伝送リソースのヌメロロジーに対応する時間領域伝送ユニットのシンボル数が前記アップリンク伝送リソースのヌメロロジーに対応する時間領域伝送ユニットのシンボル数のＷ倍であれば、前記第１時間領域伝送ユニットが番号ｎの単位粒度に位置する場合、前記第２時間領域伝送ユニットは、番号ｎ＋ｋ０の単位粒度に位置し、かつ第１時間領域伝送ユニットがダウンリンク伝送リソースであり、第２時間領域伝送ユニットがアップリンク伝送リソースである場合、前記時系列関係は、前記番号ｎ＋ｋ０の単位粒度における前記第２時間領域伝送ユニットの位置指示情報をさらに含み、かつ第１時間領域伝送ユニットがアップリンク伝送リソースであり、第２時間領域伝送ユニットがダウンリンク伝送リソースである場合、第１時間領域伝送ユニットと第２時間領域伝送ユニットとの間の時系列関係として、番号ｎの単位粒度の終了位置から計時を開始する、請求項９に記載の方法。
【請求項１１】
前記アップリンク伝送リソースのヌメロロジーとダウンリンク伝送リソースのヌメロロジーとは、異なるシンボル長、同じシンボル数および異なるサブキャリア間隔を有し、
または、前記アップリンク伝送リソースのヌメロロジーとダウンリンク伝送リソースのヌメロロジーとは、同じシンボル長、同じサブキャリア間隔および異なるシンボル数を有し、
前記単位粒度は、アップリンク伝送リソースのヌメロロジーに対応する時間領域伝送ユニットである、請求項１〜６のいずれか一項に記載の方法。
【請求項１２】
前記ダウンリンク伝送リソースのヌメロロジーの中のサブキャリア間隔が前記アップリンク伝送リソースのヌメロロジーの中のサブキャリア間隔のＷ（１より大きい偶数）倍であり、または、前記アップリンク伝送リソースのヌメロロジーに対応する時間領域伝送ユニットのシンボル数が前記ダウンリンク伝送リソースのヌメロロジーに対応する時間領域伝送ユニットのシンボル数のＷ倍であれば、前記第１時間領域伝送ユニットが番号ｎ（１より大きい整数）の単位粒度に位置する場合、前記第２時間領域伝送ユニットは、番号ｎ＋ｋ０（１より大きい整数）の単位粒度に位置し、かつ第１時間領域伝送ユニットがアップリンク伝送リソースであり、第２時間領域伝送ユニットがダウンリンク伝送リソースである場合、前記時系列関係は、前記番号ｎ＋ｋ０の単位粒度における前記第２時間領域伝送ユニットの位置指示情報をさらに含み、かつ第１時間領域伝送ユニットがダウンリンク伝送リソースであり、第２時間領域伝送ユニットがアップリンク伝送リソースである場合、第１時間領域伝送ユニットと第２時間領域伝送ユニットとの間の時系列関係として、番号ｎの単位粒度の終了位置から計時を開始し、
前記アップリンク伝送リソースのヌメロロジーの中のサブキャリア間隔が前記ダウンリンク伝送リソースのヌメロロジーの中のサブキャリア間隔のＷ倍であり、または、前記ダウンリンク伝送リソースのヌメロロジーに対応する時間領域伝送ユニットのシンボル数が前記アップリンク伝送リソースのヌメロロジーに対応する時間領域伝送ユニットのシンボル数のＷ倍であれば、前記第１時間領域伝送ユニットが番号ｎの単位粒度に位置する場合、前記第２時間領域伝送ユニットは、番号ｎ＋ｋ０の単位粒度に位置し、かつ第１時間領域伝送ユニットがダウンリンク伝送リソースであり、第２時間領域伝送ユニットがアップリンク伝送リソースである場合、番号ｎの単位粒度は、第１時間領域伝送ユニットの中の所定の第１位置に位置し、第１時間領域伝送ユニットと第２時間領域伝送ユニットとの間の時系列関係として、番号ｎの単位粒度が位置する前記第１時間領域伝送ユニットの終了位置から計時を開始し、第１時間領域伝送ユニットがアップリンク伝送リソースであり、第２時間領域伝送ユニットがダウンリンク伝送リソースである場合、番号ｎ＋ｋ０の単位粒度は、前記第２時間領域伝送ユニットの所定の第２位置に位置する、請求項１１に記載の方法。
【請求項１３】
前記アップリンク伝送リソースのヌメロロジーとダウンリンク伝送リソースのヌメロロジーとは、異なるシンボル長、同じシンボル数および異なるサブキャリア間隔を有し、
または、前記アップリンク伝送リソースのヌメロロジーとダウンリンク伝送リソースのヌメロロジーとは、同じシンボル長、同じサブキャリア間隔および異なるシンボル数を有し、
前記単位粒度は、参照ヌメロロジーに対応する時間領域伝送ユニットであり、かつアップリンクとダウンリンク伝送リソースのヌメロロジーに対応する時間領域伝送ユニットの時間領域長は、ともに前記参照ヌメロロジーに対応する時間領域伝送ユニットの整数倍である、請求項１〜６のいずれか一項に記載の方法。
【請求項１４】
前記ダウンリンク伝送リソースのヌメロロジーの中のサブキャリア間隔が前記アップリンク伝送リソースのヌメロロジーの中のサブキャリア間隔のＷ（１より大きい偶数）倍であり、または、前記アップリンク伝送リソースのヌメロロジーに対応する時間領域伝送ユニットのシンボル数が前記ダウンリンク伝送リソースのヌメロロジーに対応する時間領域伝送ユニットのシンボル数のＷ倍であり、または、前記アップリンク伝送リソースのヌメロロジーの中のサブキャリア間隔が前記ダウンリンク伝送リソースのヌメロロジーの中のサブキャリア間隔のＷ倍であり、または、前記ダウンリンク伝送リソースのヌメロロジーに対応する時間領域伝送ユニットのシンボル数が前記アップリンク伝送リソースのヌメロロジーに対応する時間領域伝送ユニットのシンボル数のＷ倍であれば、
前記第１時間領域伝送ユニットが番号ｎ（１より大きい整数）の単位粒度に位置する場合、前記第２時間領域伝送ユニットは、番号ｎ＋ｋ０（１より大きい整数）の単位粒度に位置し、かつ第１時間領域伝送ユニットがダウンリンク伝送リソースであり、第２時間領域伝送ユニットがアップリンク伝送リソースである場合、番号ｎの単位粒度は、第１時間領域伝送ユニットの中の所定の第３位置に位置し、番号ｎ＋ｋ０の単位粒度は、前記第２時間領域伝送ユニットの中の所定の第４位置に位置し、かつ、第１時間領域伝送ユニットと第２時間領域伝送ユニットとの間の時系列関係として、番号ｎの単位粒度が位置する前記第１時間領域伝送ユニットの終了位置から計時を開始し、
第１時間領域伝送ユニットがアップリンク伝送リソースであり、第２時間領域伝送ユニットがダウンリンク伝送リソースである場合、番号ｎ＋ｋ０の単位粒度は、前記第２時間領域伝送ユニットの中の所定の第５位置に位置し、かつ、第１時間領域伝送ユニットと第２時間領域伝送ユニットとの間の時系列関係として、番号ｎの単位粒度が位置する前記第１時間領域伝送ユニットの終了位置から計時を開始する、請求項１３に記載の方法。
【請求項１５】
前記アップリンク伝送リソースのヌメロロジーとダウンリンク伝送リソースのヌメロロジーとは、異なるシンボル長、同じシンボル数および異なるサブキャリア間隔を有し、
または、前記アップリンク伝送リソースのヌメロロジーとダウンリンク伝送リソースのヌメロロジーとは、同じシンボル長、同じサブキャリア間隔および異なるシンボル数を有し、
前記時系列関係は、第１時間領域伝送ユニットに対する第２時間領域伝送ユニットの第１レベル粒度単位のシフト値ｋ１（１より大きい整数）と、前記第１レベル粒度における第２時間領域伝送ユニットの第２レベル粒度単位のシフト値ｋ２（１より大きい整数）を含む、請求項１に記載の方法。
【請求項１６】
メモリと、プロセッサと、メモリに記憶されてプロセッサで実行可能なコンピュータプログラムを含む無線通信システムの伝送機器において、
前記コンピュータプログラムが前記プロセッサによって実行されると、請求項１〜１５のいずれか一項に記載の無線通信システムの情報伝送方法のステップが実現される、無線通信システムの伝送機器。
【請求項１７】
コンピュータプログラムが記憶されているコンピュータ読み取り可能な記憶媒体であって、
前記コンピュータプログラムがプロセッサによって実行されると、請求項１〜１５のいずれか一項に記載の無線通信システムの情報伝送方法のステップが実現される、コンピュータ読み取り可能な記憶媒体。
【発明の詳細な説明】
【技術分野】
【０００１】
本願は、２０１７年６月２２日に中国特許庁に提出された中国特許出願２０１７１０４８２７１８．２の優先権を主張し、その全ての内容が援用によりここに取り込まれる。
本開示は、移動通信技術分野に係り、具体的に無線通信システムの情報伝送方法および機器に係る。
【背景技術】
【０００２】
ＬＴＥシステムにおいて、アップリンク／ダウンリンクサブフレームでサービスチャネルを伝送する際のスケジューリングサブフレームとフィードバックサブフレームが定義されている。たとえば、サブフレームｎでアップリンクグラント（ＵＬ  ｇｒａｎｔ）を受信すると、サブフレームｎ＋ｋでＰＵＳＣＨを伝送し、サブフレームｎで伝送されるＰＵＳＣＨについて、サブフレームｎ＋ｋPHICHでＡＣＫ／ＮＡＣＫフィードバックを行う。ダウンリンクサブフレームｎ−ｋでＰＤＳＣＨ伝送が検出されると、ＵＥは、アップリンクサブフレームｎでＡＣＫ／ＮＡＣＫを応答する。以上の時系列は、いずれも、アップリンクとダウンリンクサブフレームの同じヌメロロジーに基づいて定義されている。ここで、ヌメロロジー（ｎｕｍｅｒｏｌｏｇｙ）は、具体的にサブキャリア間隔、単一ＯＦＤＭシンボル長、シンボル数、ＣＰ（Ｃｙｃｌｉｃ  Ｐｒｅｆｉｘ）長、ＲＢ（Ｒｅｓｏｕｒｃｅ  Ｂｌｏｃｋ）サイズおよびサブフレームサイズなどを含む。
【０００３】
ＴＤ−ＬＴＥにおいて、同じ長さのサブフレーム（Ｓｕｂ−ｆｒａｍｅ）構造が用いられる。１ｍｓである各サブフレームは、０．５ｍｓのスロットを２つ含み、１０個のサブフレームから１０ｍｓの無線フレーム（Ｒａｄｉｏ  Ｆｒａｍｅ）を構成する。ＴＤ−ＬＴＥシステムの基本的スケジューリング／伝送周期（ＴＴＩ：Ｔｒａｎｓｐｏｒｔ  Ｔｉｍｅ  Ｉｎｔｅｒｖａｌ）は、１つのサブフレームであり、すなわち１ｍｓである。対応して、フィードバックＴＴＩとデータ伝送ＴＴＩとの間のＴＴＩ間隔は、データ伝送遅延および機器のデータ処理時間などの要素に基づいて設定され、通常４つのＴＴＩの長さである。
【０００４】
５Ｇ  ＮＲの設計において、ダウンリンク伝送とアップリンク伝送では、異なるヌメロロジー（ｎｕｍｅｒｏｌｏｇｙ）の採用が可能であり、たとえばアップリンクカバレッジ向上のために、アップリンクにおいて、より小さいヌメロロジーが用いられる。また、たとえば、ダウンリンク伝送とアップリンク伝送では同じヌメロロジーが用いられるが、異なる大きさのスケジューリング時間粒度（たとえばアップリンク伝送サービスの緊急度とダウンリンク伝送サービスの緊急度とは異なる）が用いられる。よって、アップリンク（ＵＬ）スケジューリングの時系列またはＰＵＳＣＨ／ＰＤＳＣＨのＡＣＫ／ＮＡＣＫフィードバック時系列を端末に指示する必要があり、具体的な指示は、設計する必要がある。アップリンクとダウンリンクサブフレームでは異なるヌメロロジーが用いられる場合、端末は、スケジューリング時間粒度とＨＡＲＱ時系列を特定することができない。よって、アップリンクとダウンリンクサブフレームで異なるヌメロロジーが用いられる場合にスケジューリング時系列またはフィードバック時系列を特定可能な方法が必要となる。
【発明の概要】
【発明が解決しようとする課題】
【０００５】
本開示の実施例で解決しようとする技術課題は、アップリンクとダウンリンクで異なるヌメロロジーが用いられる場合にスケジューリング時系列またはフィードバック時系列を特定可能な無線通信システムの情報伝送方法および機器を提供することである。
【課題を解決するための手段】
【０００６】
上記の技術課題を解決するために、本開示の実施例における無線通信システムの情報伝送方法は、通信相手から第１時間領域伝送ユニットで送信される第１情報を受信するステップと、第２時間領域伝送ユニットで通信相手に第２情報を送信するステップとを含む。ここで、各時間領域伝送ユニットは、アップリンク伝送リソースまたはダウンリンク伝送リソースに対応し、アップリンク伝送リソースとダウンリンク伝送リソースとは、異なるヌメロロジーを有し、第１時間領域伝送ユニットと第２時間領域伝送ユニットとの間の時系列関係は、参照ヌメロロジーに対応する単位粒度を単位に示される。
【０００７】
本開示の実施例において、通信相手から第１時間領域伝送ユニットで送信される第１情報を受信する受信ユニットと、第２時間領域伝送ユニットで通信相手に第２情報を送信する送信ユニットとを含む無線通信システムの伝送機器をさらに提供する。ここで、各時間領域伝送ユニットは、アップリンク伝送リソースまたはダウンリンク伝送リソースに対応し、アップリンク伝送リソースとダウンリンク伝送リソースとは、異なるヌメロロジーを有し、第１時間領域伝送ユニットと第２時間領域伝送ユニットとの間の時系列関係は、参照ヌメロロジーに対応する単位粒度を単位に示される。
【０００８】
本開示の実施例において、メモリと、プロセッサと、メモリに記憶されてプロセッサで実行可能なコンピュータプログラムを含む無線通信システムの伝送機器をさらに提供する。前記コンピュータプログラムが前記プロセッサによって実行されると、以上記載した無線通信システムの情報伝送方法のステップが実現される。
【０００９】
本開示の実施例において、コンピュータプログラムが記憶されているコンピュータ読み取り可能な記憶媒体をさらに提供する。前記コンピュータプログラムがプロセッサによって実行されると、以上記載した方法のステップが実現される。
【発明の効果】
【００１０】
従来技術に対し、本開示の実施例において、無線通信システムの情報伝送方法および機器を提供する。本開示の実施例の無線通信システムの情報伝送方法において、アップリンクとダウンリンクで異なるヌメロロジーが用いられる場合の単位粒度が与えられ、当該単位粒度を単位に、対応する時系列関係を与え、５Ｇ  ＮＲのスケジューリング設計の基本となる。
【図面の簡単な説明】
【００１１】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００１２】
【図１】本開示の実施例における無線通信システムの情報伝送方法のフローチャートである。
【図２】本開示の実施例における例２の時系列関係の概略図である。
【図３】本開示の実施例における例３のシーンＡでの時系列関係の概略図である。
【図４】本開示の実施例における例３のシーンＢでの時系列関係の概略図である。
【図５】本開示の実施例における例４のシーンＡでの時系列関係の概略図である。
【図６】本開示の実施例における例４のシーンＢでの時系列関係の概略図である。
【図７】本開示の実施例における例５のシーンＡでの時系列関係の概略図である。
【図８】本開示の実施例における例５のシーンＢでの時系列関係の概略図である。
【図９】本開示の実施例における例６の時系列関係の概略図である。
【図１０】本開示の実施例における無線通信システムのデータ伝送装置の構造図である。
【図１１】本開示の実施例における電子機器の構造図である。
【発明を実施するための形態】
【００１３】
本開示の解決しようとする技術課題、技術手段及び利点をより明確にするために、以下、図面および具体的な実施例を通じて詳細に記載する。以下の記載において、本開示の実施例に対する全面的理解へのほう助だけの目的で、具体的な構成や構成部品の特定な細部を提供する。よって、本開示の範囲や精神を逸脱することなく、ここに記載の実施例に対し様々な変更や修正を行うことができることは、当業者にとって自明である。また、明確化と簡潔化のために、周知されている機能や構造に関する記載を省略している。
【００１４】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００１５】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。また、本文において、「システム」と「ネットワーク」は、常に互換して使用することができる。本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【００１６】
本開示の実施例において、基地局は、形態が限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局の呼称）、ｅＮＢ（Ｅｎｈａｎｃｅｄ  Ｎｏｄｅ  Ｂ）、家庭強化型基地局（Ｆｅｍｔｏ  ｅＮＢまたはＨｏｍｅ  ｅＮｏｄｅ  ＢまたはＨｏｍｅ  ｅＮＢまたはＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）、ｇＮＢ（５Ｇ移動基地局の呼称）、５Ｇシステムにおけるネットワーク側ノードのＣＵ（Ｃｅｎｔｒａｌ  Ｕｎｉｔ）やＤＵ（Ｄｉｓｔｒｉｂｕｔｅｄ  Ｕｎｉｔ）などである。端末は、モバイル電話（または携帯電話）や、無線信号の送受信が可能な機器であり、ユーザ機器（ＵＥ）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥ（Ｃｕｓｔｏｍｅｒ  Ｐｒｅｍｉｓｅ  Ｅｑｕｉｐｍｅｎｔ）やモバイルワイファイホットスポット、スマート家電、またはそれ以外の人の操作によらずに自発的に移動通信ネットワークと通信可能な機器などが含まれる。
【００１７】
図１を参照する。本開示の実施例における無線通信システムの情報伝送方法は、通信自側に応用される。当該通信自側は、基地局または端末である。図１に示すように、当該方法は、以下のステップを含む。
【００１８】
ステップ１１において、通信相手から第１時間領域伝送ユニットで送信される第１情報を受信する。
【００１９】
ここで、前記第１情報は、具体的にサービスデータまたはスケジューリンググラント情報を含む。各時間領域伝送ユニットは、アップリンク伝送リソースまたはダウンリンク伝送リソースに対応する。具体的に、時間領域伝送ユニットは、サブフレーム、１ｍｓの時間領域リソース、スロット（ｓｌｏｔ）、ミニスロット（ｍｉｎｉ−ｓｌｏｔ）、少なくとも１つのＯＦＤＭシンボルからなるシンボル群、および、少なくとも１つのｓｌｏｔからなるスロット群（ｓｌｏｔ  ｇｒｏｕｐ）のうちのいずれか１つである。本開示の実施例において、アップリンク伝送リソースとダウンリンク伝送リソースとは、異なるヌメロロジー（Ｎｕｍｅｒｏｌｏｇｙ）を有する。前記ヌメロロジー（Ｎｕｍｅｒｏｌｏｇｙ）は、サブキャリア間隔、シンボル長、時間領域伝送ユニットの中のシンボル数のうちの少なくとも１つを含む。
【００２０】
ステップ１２において、第２時間領域伝送ユニットで通信相手に第２情報を送信する。ここで、第１時間領域伝送ユニットと第２時間領域伝送ユニットとの間の時系列関係は、参照ヌメロロジー（Ｎｕｍｅｒｏｌｏｇｙ）に対応する単位粒度を単位に示される。
【００２１】
ここで、前記参照ヌメロロジーは、ダウンリンク伝送リソースのヌメロロジーとは異なり、または、アップリンク伝送リソースのヌメロロジーとは異なり、または、アップリンク伝送リソースとダウンリンク伝送リソースのヌメロロジーとは異なる。すなわち、参照ヌメロロジーは、アップリンク伝送リソースとダウンリンク伝送リソースのヌメロロジーのうちの少なくとも１つとは異なる。
【００２２】
前記単位粒度は、参照ヌメロロジーに対応する時間領域伝送ユニットを指す。具体的に、当該時間領域伝送ユニットの長さは、参照ヌメロロジーのサブキャリア間隔、シンボル長、時間領域伝送ユニットの中のシンボル数などによって決められる。
【００２３】
前記第２情報は、前記サービスデータの受信フィードバック情報または前記スケジューリンググラント情報によってスケジューリングされるサービスデータである。前記第１情報がサービスデータ（たとえばＰＵＳＣＨ／ＰＤＳＣＨ）である場合、前記第２情報は、前記サービスデータの受信フィードバック情報であり、すなわちＡＣＫ／ＮＡＣＫフィードバック情報である。前記第１情報がスケジューリンググラント情報（たとえばＵＬ  ｇｒａｎｔ）である場合、前記第２情報は、ＰＵＳＣＨである。対応して、以上のステップは、ネットワーク側で実現されてもよく、端末側で実現されてもよい。たとえば、ネットワーク側の基地局で実現される場合、前記第１情報は、ＰＵＳＣＨであり、第２情報は、ＰＵＳＣＨのＡＣＫ／ＮＡＣＫフィードバック情報である。端末で実現される場合、前記第１情報は、ＰＤＳＣＨであり、第２情報は、ＰＤＳＣＨのＡＣＫ／ＮＡＣＫフィードバック情報である。または、前記第１情報は、ＵＬ  ｇｒａｎｔであり、第２情報は、ＰＵＳＣＨである。
【００２４】
以上のステップによって、本開示の実施例において、第１時間領域伝送ユニットと第２時間領域伝送ユニットとの間の時系列関係を、参照ヌメロロジーに対応する単位粒度を単位に示すため、通信自側は、上記時系列関係に基づいて第２情報が位置する時間領域位置を特定することができ、さらに第２情報を送信することによって、アップリンクとダウンリンクで異なるヌメロロジーが用いられる場合、スケジューリング時系列またはフィードバック時系列の特定および第２情報の送信が実現される。
【００２５】
具体的に、第１時間領域伝送ユニットと第２時間領域伝送ユニットとの間の時系列関係は、第１時間領域伝送ユニットに対する第２時間領域伝送ユニットのシフト値ｋ０（１より大きい整数）として示し、前記シフト値ｋ０は、前記単位粒度を単位に示される。たとえば、前記第１時間領域伝送ユニットが番号ｎ（１より大きい整数）の単位粒度に位置する場合、前記第２時間領域伝送ユニットは、番号ｎ＋ｋ０の単位粒度に位置する。
【００２６】
本開示の実施例において、ネットワーク側は、前記時系列関係、アップリンク伝送リソースのヌメロロジー、ダウンリンク伝送リソースのヌメロロジー、時間領域伝送ユニットの伝送方向（たとえばアップリンクまたはダウンリンク）および前記単位粒度のうちの少なくとも１つのパラメータを、予め前記端末に対し設定する。具体的な設定方式として、ネットワーク側からシステムメッセージ、ダウンリンク制御情報、ハイレイヤシグナリング（たとえばＲＲＣシグナリング）などの方式のうちの１つまたは複数種類のメッセージによって上記少なくとも１つの種類のパラメータの一部またはすべてを付帯して端末に送信する。端末は、受信したメッセージに基づいて、その中に付帯されるパラメータを取得し、上記設定を実現する。
【００２７】
たとえば、ＲＲＣシグナリングに前記時系列関係、アップリンク伝送リソースのヌメロロジー、ダウンリンク伝送リソースのヌメロロジー、時間領域伝送ユニットの伝送方向および前記単位粒度などのパラメータのうちの少なくとも１つを付帯して端末に送信する。また、たとえば、システムメッセージに前記時系列関係などのパラメータを付帯して端末に送信し、またＲＲＣシグナリングに前記アップリンク伝送リソースのヌメロロジー、ダウンリンク伝送リソースのヌメロロジー、時間領域伝送ユニットの伝送方向および前記単位粒度などのパラメータのうちの少なくとも１つを付帯して端末に送信したりする。
【００２８】
このように、上記ステップ１２において、端末は、第１情報が位置する単位粒度の第１番号および前記時系列関係に基づいて第２番号を特定し、さらに、前記第２番号に対応する第２時間領域伝送ユニットで第２情報を送信する。
【００２９】
以下、さらに図面を参照しながら、具体例を通じて本開示の実施例の上記手段を詳細に紹介する。以下の例は、時間領域伝送ユニットがスロットであることを例として記載するが、本開示に対する限定を構成せず、時間領域伝送ユニットが前記のほかの形態であってもよい。
【００３０】
＜例１＞
アップリンク伝送リソースのヌメロロジーの中のシンボル長とサブキャリア間隔との第１乗算値と、ダウンリンク伝送リソースのヌメロロジーの中のシンボル長とサブキャリア間隔との第２乗算値とは、等しい。この場合、アップリンク伝送リソースとダウンリンク伝送リソースのヌメロロジーに対応する時間領域伝送ユニットを、同じ時間領域長を有するように設定する。たとえば、アップリンクとダウンリンク伝送リソースのヌメロロジーの中のシンボル数が同じであれば、サブキャリア間隔が大きいほど、時間領域での単一シンボルの長さが短くなり、時間領域伝送ユニットの長さも短くなる。ここで、本明細書に記載のシンボル長は、単一シンボルの時間領域の長さを指す。前記単位粒度は、アップリンク伝送リソースまたはダウンリンク伝送リソースのヌメロロジーに対応する時間領域伝送ユニットである。
【００３１】
例１において、アップリンクとダウンリンクのヌメロロジー（ｎｕｍｅｒｏｌｏｇｙ）は、時間上、同じ長さを有するように整合される。たとえば、
ａ）アップリンクのサブキャリア間隔は、１５ＫＨｚであり、アップリンクｓｌｏｔの長さは、７つのシンボルであり、ダウンリンクのサブキャリア間隔は、３０ＫＨｚであり、ダウンリンクｓｌｏｔの長さは、１４個のシンボルである。
ｂ）アップリンクのサブキャリア間隔は、３０ＫＨｚであり、アップリンクｓｌｏｔの長さは、１４個のシンボルであり、ダウンリンクのサブキャリア間隔は、１５ＫＨｚであり、ダウンリンクｓｌｏｔの長さは、７つのシンボルである。
【００３２】
伝送リソースのヌメロロジーに対応する時間上の長さは、サブキャリア間隔に反比例し、シンボル長に比例する。上記のａ）またはｂ）のヌメロロジーを採用することによって、アップリンクとダウンリンク伝送リソースは、異なるヌメロロジーを有するものの、対応する時間上の長さが同じである。すなわち、ダウンリンク伝送リソースまたはダウンリンク伝送リソースのヌメロロジーに対応する時間領域伝送ユニットは、ダウンリンク伝送リソースのヌメロロジーに対応する時間領域伝送ユニットとは、時間領域長が同じである。
【００３３】
＜例２＞
前記アップリンク伝送リソースのヌメロロジーとダウンリンク伝送リソースのヌメロロジーとは、異なるシンボル長、同じシンボル数および異なるサブキャリア間隔を有し、または、前記アップリンク伝送リソースのヌメロロジーとダウンリンク伝送リソースのヌメロロジーとは、同じシンボル長、同じサブキャリア間隔および異なるシンボル数を有する。
【００３４】
すなわち、アップリンク伝送リソースのヌメロロジーの中のシンボル長とダウンリンク伝送リソースのヌメロロジーの中のシンボル長とは異なり、かつ両者の時間領域伝送ユニットに対応するシンボル数が等しく、かつアップリンク伝送リソースのヌメロロジーの中のサブキャリア間隔とダウンリンク伝送リソースのヌメロロジーの中のサブキャリア間隔とは異なる。または、アップリンク伝送リソースのヌメロロジーの中のシンボル長とダウンリンク伝送リソースのヌメロロジーの中のシンボル長とは等しく、かつアップリンク伝送リソースのヌメロロジーの中のサブキャリア間隔とダウンリンク伝送リソースのヌメロロジーの中のサブキャリア間隔とは等しいが、時間領域伝送ユニットに対応するシンボル数が異なる。
【００３５】
本例において、前記単位粒度は、ダウンリンク伝送リソースのヌメロロジーに対応する時間領域伝送ユニットおよびアップリンク伝送リソースのヌメロロジーに対応する時間領域伝送ユニットを含む。
【００３６】
具体的に、例２において、ＵＬスケジューリングの時系列またはＰＵＳＣＨ／ＰＤＳＣＨのＡＣＫ／ＮＡＣＫフィードバック時系列は、（ｎ＋ｋ）＊ｇｒａｎｕａｌｉｔｙによって指示される。単位粒度ｇｒａｎｕａｌｉｔｙは、アップリンクとダウンリンク各自のヌメロロジーに関連する。すなわち、前記単位粒度は、アップリンク時間領域伝送ユニットとダウンリンク伝送ユニットについて、異なる時間領域長を有し、それぞれアップリンクとダウンリンクのヌメロロジーに基づいて決められる。
【００３７】
図２は、例２における単位粒度の概略図である。図２〜図９における各ブロックは、１つのアップリンク時間領域伝送ユニットまたはダウンリンク時間領域伝送ユニットを示し、具体的にアップリンクスロットまたはダウンリンクスロットである。ここで、斜線付きのブロックは、アップリンク時間領域伝送ユニットを示し、斜線なしのブロックは、ダウンリンク時間領域伝送ユニットを示す。ブロックの中の数字は、単位粒度で番号を付ける際に当該時間領域伝送ユニットの具体的な番号を示す。図２では、アップリンク時間領域伝送ユニットの時間領域長は、ダウンリンク時間領域伝送ユニットの時間領域長の２倍であることが分かる。アップリンク時間領域伝送ユニットに対応する単位粒度も、ダウンリンク時間領域伝送ユニットに対応する単位粒度の時間領域長の２倍である。図２では、アップリンクとダウンリンクの異なる長さの２種類の単位粒度に基づいて、各時間領域伝送ユニットに対し順に番号を付ける。
【００３８】
例２において、ネットワーク側は、時間領域伝送ユニットの伝送方向、アップリンクとダウンリンクのヌメロロジーおよび単位粒度の時間領域長をハイレイヤシグナリングによって端末に対し設定する。
【００３９】
動的ＴＤＤを考慮すると、アップリンクとダウンリンクの異なるヌメロロジーは、番号に影響を及ぼす。よって、第１時間領域伝送ユニットと第２伝送ユニットが動的に変更する場合、本実施例において、第１時間領域伝送ユニットと第２時間領域伝送ユニットとの間の時系列関係を指示する場合、第１時間領域伝送ユニットに対する第２時間領域伝送ユニットのシフト値（すなわち第２時間領域伝送ユニットの開始位置）を指示するほか、別途の指示情報によって第２時間領域伝送ユニットの終了位置を指示する。たとえば、図２の点線ブロックに異なるアップリンク／ダウンリンク伝送ユニットが用いられると、番号が異なり、番号ｎ＋４の時間領域伝送ユニットは、異なる終了位置を有する。よって、終了位置を別途で指示することによって、端末が第２時間領域伝送ユニットの具体的な位置を特定することに寄与する。
【００４０】
＜例３＞
前記アップリンク伝送リソースのヌメロロジーとダウンリンク伝送リソースのヌメロロジーとは、異なるシンボル長、同じシンボル数および異なるサブキャリア間隔を有し、または、前記アップリンク伝送リソースのヌメロロジーとダウンリンク伝送リソースのヌメロロジーとは、同じシンボル長、同じサブキャリア間隔および異なるシンボル数を有する。
【００４１】
すなわち、アップリンク伝送リソースのヌメロロジーの中のシンボル長とダウンリンク伝送リソースのヌメロロジーの中のシンボル長とは異なり、かつ両者の時間領域伝送ユニットに対応するシンボル数が等しく、かつアップリンク伝送リソースのヌメロロジーの中のサブキャリア間隔とダウンリンク伝送リソースのヌメロロジーの中のサブキャリア間隔とは異なる。または、アップリンク伝送リソースのヌメロロジーの中のシンボル長とダウンリンク伝送リソースのヌメロロジーの中のシンボル長とは等しく、かつアップリンク伝送リソースのヌメロロジーの中のサブキャリア間隔とダウンリンク伝送リソースのヌメロロジーの中のサブキャリア間隔とは等しいが、時間領域伝送ユニットに対応するシンボル数が異なる。
【００４２】
本例において、前記単位スケジューリング粒度は、ダウンリンク伝送リソースのヌメロロジーに対応する時間領域伝送ユニットである。
【００４３】
たとえば、ＵＬスケジューリングの時系列またはＰＵＳＣＨ／ＰＤＳＣＨのＡＣＫ／ＮＡＣＫフィードバック時系列は、（ｎ＋ｋ）＊ｇｒａｎｕａｌｉｔｙによって指示される。単位粒度ｇｒａｎｕａｌｉｔｙは、ＤＬのヌメロロジー、シンボル長（７ＯＳ  ｓｌｏｔ  ｏｒ  １４  ＯＳ  ｓｌｏｔ）などに関連する。ここで、各単位粒度ｇｒａｎｕａｌｉｔｙを１つのＴＴＩと称する。
【００４４】
Ａ）前記ダウンリンク伝送リソースのヌメロロジーの中のサブキャリア間隔が前記アップリンク伝送リソースのヌメロロジーの中のサブキャリア間隔のＷ（１より大きい整数であり、偶数であることが好ましい）倍であれば、前記第１時間領域伝送ユニットが番号ｎの単位粒度に位置する場合、前記第２時間領域伝送ユニットは、番号ｎ＋ｋ０の単位粒度に位置し、かつ第１時間領域伝送ユニットがダウンリンク伝送リソースであり、第２時間領域伝送ユニットがアップリンク伝送リソースである場合、番号ｎ＋ｋ０の単位粒度は、前記第２時間領域伝送ユニットの中の所定位置に位置し、かつ第１時間領域伝送ユニットがアップリンク伝送リソースであり、第２時間領域伝送ユニットがダウンリンク伝送リソースである場合、第１時間領域伝送ユニットと第２時間領域伝送ユニットとの間の時系列関係として、番号ｎの単位粒度が位置する前記第１時間領域伝送ユニットの終了位置から計時を開始する。上記所定位置は、前記第２時間領域伝送ユニットの開始位置である。すなわち、関連のパラメータ値を設定し、番号ｎ＋ｋ０の単位粒度を常に第２時間領域伝送ユニットの中の特定位置に位置させることによって、受信処理を簡単化する。
【００４５】
図３の図示を例とし、仮にアップリンクのサブキャリア間隔は、１５ＫＨｚであり、ダウンリンクのサブキャリア間隔は、３０ＫＨｚである。
１）ＵＬ  ｇｒａｎｔとスケジューリング対象のＰＵＳＣＨとの間の時系列について、第ｎ個のＴＴＩでＵＬ  ｇｒａｎｔを送信することを考慮すると、対応するＰＵＳＣＨは、第ｎ＋ｋ1個のＴＴＩで送信される。本明細書において、常に時間領域伝送ユニットの番号が０から始まると仮定する。処理を簡単化するために、本実施例において、ＰＵＳＣＨ伝送がアップリンクｓｌｏｔの開始位置に現れることのみを許容し、ハーフｓｌｏｔによるＰＵＳＣＨ伝送を許容しない。この場合、ハイレイヤで設定されるｋ1は、ｎ＋ｋ1が偶数であることを満たす必要がある。
２）ＰＤＳＣＨ伝送と、対応するＡＣＫ／ＮＡＣＫフィードバックとの間の時系列について、第ｎ個のＴＴＩでＰＤＳＣＨを送信することを考慮すると、対応するＡＣＫ／ＮＡＣＫフィードバックは、第ｎ＋ｋ1個のＴＴＩで送信される。簡単化のために、ＡＣＫ／ＮＡＣＫフィードバックがアップリンクｓｌｏｔの開始位置に現れることのみを許容し、ハーフｓｌｏｔにおるフィードバックを許容しない。この場合、ハイレイヤで設定されるｋ1は、ｎ＋ｋ1が偶数であることを満たす必要がある。
３）ＰＵＳＣＨ伝送と、対応するＡＣＫ／ＮＡＣＫフィードバックとの間の時系列について、第ｎ＋ｋ1個のＴＴＩでＰＵＳＣＨを送信し、ＡＣＫ／ＮＡＣＫフィードバックとの間の時間間隔を算出する際に、ＵＬ  ｓｌｏｔの終了位置から計時を開始しなければならないことを考慮すると、対応するＡＣＫ／ＮＡＣＫフィードバックは、第ｎ＋ｋ1＋１＋ｋ2個のＴＴＩで送信される。この場合、ハイレイヤで設定されるｋ２は、遅延要件を満たせばよく、ほかの制限がない。ここで、ｎ、ｋ1、ｋ2は、いずれも１より大きい整数である。
【００４６】
Ｂ）前記アップリンク伝送リソースのヌメロロジーの中のサブキャリア間隔が前記ダウンリンク伝送リソースのヌメロロジーの中のサブキャリア間隔のＷ（１より大きい整数であり、偶数であることが好ましい）倍であれば、前記第１時間領域伝送ユニットが番号ｎ（１より大きい整数）の単位粒度に位置する場合、前記第２時間領域伝送ユニットは、番号ｎ＋ｋ０（１より大きい整数）の単位粒度に位置し、かつ第１時間領域伝送ユニットがダウンリンク伝送リソースであり、第２時間領域伝送ユニットがアップリンク伝送リソースである場合、前記時系列関係は、前記番号ｎ＋ｋ０の単位粒度における前記第２時間領域伝送ユニットの位置指示情報をさらに含み、かつ第１時間領域伝送ユニットがアップリンク伝送リソースであり、第２時間領域伝送ユニットがダウンリンク伝送リソースである場合、第１時間領域伝送ユニットと第２時間領域伝送ユニットとの間の時系列関係として、番号ｎの単位粒度の終了位置から計時を開始する。
【００４７】
図４の図示を例とし、アップリンクのサブキャリア間隔は、３０ＫＨｚであり、ダウンリンクのサブキャリア間隔は、１５ＫＨｚである。
１）ＵＬ  ｇｒａｎｔとスケジューリング対象のＰＵＳＣＨとの間の時系列について、第ｎ個のＴＴＩでＵＬ  ｇｒａｎｔを送信することを考慮すると、対応するＰＵＳＣＨは、第ｎ＋ｋ1個のＴＴＩで送信される。アップリンクスロットの長さがダウンリンクスロットの長さより小さいため、この場合、ＰＵＳＣＨ伝送がどのアップリンクｓｌｏｔで行われるかを特定するために、１ｂｉｔの指示を追加する必要がある。この場合、ハイレイヤで設定されるｋ1は、遅延要件を満たせばよく、ほかの制限がない。
２）ＰＤＳＣＨ伝送と、対応するＡＣＫ／ＮＡＣＫフィードバックとの間の時系列について、第ｎ個のＴＴＩでＰＤＳＣＨを送信することを考慮すると、対応するＡＣＫ／ＮＡＣＫフィードバックは、第ｎ＋ｋ1個のＴＴＩで送信される。アップリンクスロットの長さがダウンリンクスロットの長さより小さいため、この場合、ＡＣＫ／ＮＡＣＫフィードバックがどのアップリンクｓｌｏｔで行われるかを特定するために、１ｂｉｔの指示を追加する必要がある。この場合、ハイレイヤで設定されるｋ1は、遅延要件を満たせばよく、ほかの制限がない。
３）ＰＵＳＣＨ伝送と、対応するＡＣＫ／ＮＡＣＫフィードバックとの間の時系列について、第ｎ＋ｋ1個のＴＴＩでＰＵＳＣＨを送信し、ＰＵＳＣＨが第ｎ＋ｋ1個のＴＴＩのどのｓｌｏｔで送信されるかにかかわらず、ＡＣＫ／ＮＡＣＫフィードバックとの間の時間間隔を算出する際に、２つ目のｓｌｏｔの終了位置から計時を開始することを考慮し、第ｎ＋ｋ1＋ｋ2個のＴＴＩでＡＣＫ／ＮＡＣＫフィードバックを行う。この場合、ハイレイヤで設定されるｋ2は、遅延要件を満たせばよく、ほかの制限がない。
【００４８】
＜例４＞
前記アップリンク伝送リソースのヌメロロジーとダウンリンク伝送リソースのヌメロロジーとは、異なるシンボル長、同じシンボル数および異なるサブキャリア間隔を有し、または、前記アップリンク伝送リソースのヌメロロジーとダウンリンク伝送リソースのヌメロロジーとは、同じシンボル長、同じサブキャリア間隔および異なるシンボル数を有する。
【００４９】
本例において、前記単位粒度は、アップリンク伝送リソースのヌメロロジーに対応する時間領域伝送ユニットである。
【００５０】
たとえば、ＵＬスケジューリングの時系列またはＰＵＳＣＨ／ＰＤＳＣＨのＡＣＫ／ＮＡＣＫフィードバック時系列は、（ｎ＋ｋ）＊ｇｒａｎｕａｌｉｔｙによって指示される。単位粒度ｇｒａｎｕａｌｉｔｙは、ＵＬのヌメロロジー、単位粒度の大きさ（７ＯＳ  ｓｌｏｔ  ｏｒ  １４  ＯＳ  ｓｌｏｔ）などに関連する。ここで、各単位粒度ｇｒａｎｕａｌｉｔｙを１つのＴＴＩと称する。
【００５１】
Ａ）前記ダウンリンク伝送リソースのヌメロロジーの中のサブキャリア間隔が前記アップリンク伝送リソースのヌメロロジーの中のサブキャリア間隔のＷ（１より大きい整数であり、偶数であることが好ましい）倍であれば、前記第１時間領域伝送ユニットが番号ｎ（１より大きい整数）の単位粒度に位置する場合、前記第２時間領域伝送ユニットは、番号ｎ＋ｋ０（１より大きい整数）の単位粒度に位置し、かつ第１時間領域伝送ユニットがアップリンク伝送リソースであり、第２時間領域伝送ユニットがダウンリンク伝送リソースである場合、前記時系列関係は、前記番号ｎ＋ｋ０の単位粒度における前記第２時間領域伝送ユニットの位置指示情報をさらに含む。かつ第１時間領域伝送ユニットがダウンリンク伝送リソースであり、第２時間領域伝送ユニットがアップリンク伝送リソースである場合、第１時間領域伝送ユニットと第２時間領域伝送ユニットとの間の時系列関係として、番号ｎの単位粒度の終了位置から計時を開始する。
【００５２】
図５の図示を例とし、アップリンクのサブキャリア間隔は、１５ＫＨｚであり、ダウンリンクのサブキャリア間隔は、３０ＫＨｚである。
１）ＵＬ  ｇｒａｎｔとスケジューリング対象のＰＵＳＣＨとの間の時系列について、第ｎ個のＴＴＩでＵＬ  ｇｒａｎｔを送信し、ＵＬ  ｇｒａｎｔが第ｎ個のＴＴＩのどのｓｌｏｔで送信されるかにかかわらず、ＰＵＳＣＨとの間の時間間隔を算出する際に、２つ目のｓｌｏｔの終了位置から計時を開始することを考慮すると、第ｎ＋ｋ1個のＴＴＩでＰＵＳＣＨ伝送を行う。この場合、ハイレイヤで設定されるｋ1は、遅延要件を満たせばよく、ほかの制限がない。
２）ＰＤＳＣＨ伝送と、対応するＡＣＫ／ＮＡＣＫフィードバックとの間の時系列について、第ｎ個のＴＴＩでＰＤＳＣＨを送信し、ＰＤＳＣＨが第ｎ個のＴＴＩのどのｓｌｏｔで送信されるかにかかわらず、ＡＣＫ／ＮＡＣＫとの間の時間間隔を算出する際に、２つ目のｓｌｏｔの終了位置から計時を開始することを考慮すると、第ｎ＋ｋ1個のＴＴＩでＡＣＫ／ＮＡＣＫフィードバックを行う。この場合、ハイレイヤで設定されるｋ1は、遅延要件を満たせばよく、ほかの制限がない。
３）ＰＵＳＣＨ伝送と、対応するＡＣＫ／ＮＡＣＫフィードバックとの間の時系列について、第ｎ＋ｋ1個のＴＴＩでＰＵＳＣＨを送信することを考慮すると、対応するＡＣＫ／ＮＡＣＫフィードバックは、第ｎ＋ｋ1＋ｋ2個のＴＴＩで送信される。ダウンリンクスロットの長さがアップリンクスロットの長さより小さいため、この場合、ＡＣＫ／ＮＡＣＫフィードバックがどのダウンリンクｓｌｏｔで行われるかを特定するために、１ｂｉｔの指示を追加する必要がある。この場合、ハイレイヤで設定されるｋ2は、遅延要件を満たせばよく、ほかの制限がない。
【００５３】
Ｂ）前記アップリンク伝送リソースのヌメロロジーの中のサブキャリア間隔が前記ダウンリンク伝送リソースのヌメロロジーの中のサブキャリア間隔のＷ（１より大きい整数であり、偶数であることが好ましい）倍であれば、前記第１時間領域伝送ユニットが番号ｎ（１より大きい整数）の単位粒度に位置する場合、前記第２時間領域伝送ユニットは、番号ｎ＋ｋ０（１より大きい整数）の単位粒度に位置し、かつ第１時間領域伝送ユニットがダウンリンク伝送リソースであり、第２時間領域伝送ユニットがアップリンク伝送リソースである場合、番号ｎの単位粒度は、第１時間領域伝送ユニットの中の所定の第１位置に位置し、第１時間領域伝送ユニットと第２時間領域伝送ユニットとの間の時系列関係として、番号ｎの単位粒度が位置する前記第１時間領域伝送ユニットの終了位置から計時を開始する。第１時間領域伝送ユニットがアップリンク伝送リソースであり、第２時間領域伝送ユニットがダウンリンク伝送リソースである場合、番号ｎ＋ｋの単位粒度は、前記第２時間領域伝送ユニットの所定の第２位置に位置する。
【００５４】
図６の図示を例とし、アップリンクのサブキャリア間隔は、３０ＫＨｚであり、ダウンリンクのサブキャリア間隔は、１５ＫＨｚである。
１）ＵＬ  ｇｒａｎｔとスケジューリング対象のＰＵＳＣＨとの間の時系列について、第ｎ個のＴＴＩでＵＬ  ｇｒａｎｔを送信し、簡単化のために、ＵＬ  ｇｒａｎｔがダウンリンクｓｌｏｔの開始位置に現れることしか許容せず、ハーフｓｌｏｔでスケジューリング指示を送信することが許容されない。この場合、ハイレイヤによって、スケジューリングが行われるＴＴＩｎが偶数でなければならないと設定する。ＰＵＳＣＨとの間の時間間隔を算出する際に、ＤＬ  ｓｌｏｔの終了位置から計時を開始しなければならない。これを考慮すると、対応するＰＵＳＣＨ伝送は、第ｎ＋１＋ｋ1個のＴＴＩで送信される。この場合、ハイレイヤで設定されるｋ1は、遅延要件を満たせばよく、ほかの制限がない。
２）ＰＤＳＣＨ伝送と、対応するＡＣＫ／ＮＡＣＫフィードバックとの間の時系列について、第ｎ個のＴＴＩでＰＤＳＣＨを送信し、簡単化のために、ＰＤＳＣＨがダウンリンクｓｌｏｔの開始位置に現れることしか許容せず、ハーフｓｌｏｔでＰＤＳＣＨを伝送することが許容されない。この場合、ハイレイヤによって、ＰＤＳＣＨが位置するＴＴＩｎが偶数でなければならないと設定する。ＡＣＫ／ＮＡＣＫフィードバックとの間の時間間隔を算出する際に、ＤＬ  ｓｌｏｔの終了位置から計時を開始しなければならない。これを考慮すると、対応するＡＣＫ／ＮＡＣＫフィードバックは、第ｎ＋１＋ｋ1個のＴＴＩで送信される。この場合、ハイレイヤで設定されるｋ1は、遅延要件を満たせばよく、ほかの制限がない。
３）ＰＵＳＣＨ伝送と、対応するＡＣＫ／ＮＡＣＫフィードバックとの間の時系列について、第ｎ＋１＋ｋ1個のＴＴＩでＰＵＳＣＨを送信することを考慮すると、対応するＡＣＫ／ＮＡＣＫフィードバックは、第ｎ＋１＋ｋ1＋ｋ2個のＴＴＩで送信される。簡単化のために、ＡＣＫ／ＮＡＣＫフィードバックがダウンリンクｓｌｏｔの開始位置に現れることしか許容せず、ハーフｓｌｏｔでＡＣＫ／ＮＡＣＫをフィードバックすることが許容されない。この場合、ハイレイヤで設定されるｋ２は、ｎ＋１＋ｋ1＋ｋ2が偶数であることを満たさなければならない。
【００５５】
＜例５＞
前記アップリンク伝送リソースのヌメロロジーとダウンリンク伝送リソースのヌメロロジーとは、異なるシンボル長、同じシンボル数および異なるサブキャリア間隔を有し、または、前記アップリンク伝送リソースのヌメロロジーとダウンリンク伝送リソースのヌメロロジーとは、同じシンボル長、同じサブキャリア間隔および異なるシンボル数を有する。
【００５６】
本例において、前記単位粒度は、参照ヌメロロジーに対応する時間領域伝送ユニットであり、かつアップリンクとダウンリンク伝送リソースのヌメロロジーに対応する時間領域伝送ユニットの時間領域長は、ともに前記参照ヌメロロジーに対応する時間領域伝送ユニットの整数倍である。
【００５７】
たとえば、ＵＬスケジューリングの時系列またはＰＵＳＣＨ／ＰＤＳＣＨのＡＣＫ／ＮＡＣＫフィードバック時系列は、（ｎ＋ｋ）＊ｇｒａｎｕａｌｉｔｙによって指示される。単位粒度ｇｒａｎｕａｌｉｔｙは、ある参照ヌメロロジー（ｒｅｆｅｒｅｎｃｅ  ｎｕｍｅｒｏｌｏｇｙ）およびこの参照ヌメロロジーでのスケジューリング粒度に関連する。参照ヌメロロジーが６０ＫＨｚとし、各単位粒度ｇｒａｎｕａｌｉｔｙを１つのＴＴＩと称する。
【００５８】
Ａ）前記ダウンリンク伝送リソースのヌメロロジーの中のサブキャリア間隔が前記アップリンク伝送リソースのヌメロロジーの中のサブキャリア間隔のＷ（１より大きい整数であり、偶数であることが好ましい）倍であれば、前記第１時間領域伝送ユニットが番号ｎ（１より大きい整数）の単位粒度に位置する場合、前記第２時間領域伝送ユニットは、番号ｎ＋ｋ０（１より大きい整数）の単位粒度に位置し、かつ第１時間領域伝送ユニットがダウンリンク伝送リソースであり、第２時間領域伝送ユニットがアップリンク伝送リソースである場合、番号ｎの単位粒度は、第１時間領域伝送ユニットの中の所定の第３位置に位置し、番号ｎ＋ｋ０の単位粒度は、前記第２時間領域伝送ユニットの中の所定の第４位置に位置し、かつ、第１時間領域伝送ユニットと第２時間領域伝送ユニットとの間の時系列関係は、番号ｎの単位粒度が位置する前記第１時間領域伝送ユニットの終了位置から計時を開始する。第１時間領域伝送ユニットがアップリンク伝送リソースであり、第２時間領域伝送ユニットがダウンリンク伝送リソースである場合、番号ｎ＋ｋ０の単位粒度は、前記第２時間領域伝送ユニットの中の所定の第５位置に位置し、かつ、第１時間領域伝送ユニットと第２時間領域伝送ユニットとの間の時系列関係は、番号ｎの単位粒度が位置する前記第１時間領域伝送ユニットの終了位置から計時を開始する。ここで、Ｗは、１より大きい偶数であり、ｎ、ｋ０は、ともに１より大きい整数である。
【００５９】
図７の図示を例とし、アップリンクのサブキャリア間隔は、１５ＫＨｚであり、ダウンリンクのサブキャリア間隔は、３０ＫＨｚである。
１）ＵＬ  ｇｒａｎｔとスケジューリング対象のＰＵＳＣＨとの間の時系列について、第ｎ個のＴＴＩでＵＬ  ｇｒａｎｔを送信し、簡単化のために、ＵＬ  ｇｒａｎｔがダウンリンクｓｌｏｔの開始位置に現れることしか許容せず、ハーフｓｌｏｔでスケジューリング指示を送信することが許容されない。この場合、ハイレイヤによって、スケジューリングが行われるＴＴＩｎが偶数でなければならないと設定する。ＰＵＳＣＨとの間の時間間隔を算出する際に、ＤＬ  ｓｌｏｔの終了位置から計時を開始しなければならない。これを考慮すると、対応するＰＵＳＣＨ伝送は、第ｎ＋１＋ｋ1個のＴＴＩで送信される。同時に、簡単化のために、ＰＵＳＣＨ伝送がアップリンクｓｌｏｔの開始位置に現れることしか許容せず、ハーフｓｌｏｔでＰＵＳＣＨを伝送することが許容されない。この場合、ハイレイヤで設定されるｋ１は、ｎ＋１＋ｋ1が４の倍数であることを満たさなければならない。
２）ＰＤＳＣＨ伝送と、対応するＡＣＫ／ＮＡＣＫフィードバックとの間の時系列について、第ｎ個のＴＴＩでＰＤＳＣＨを送信し、簡単化のために、ＰＤＳＣＨがダウンリンクｓｌｏｔの開始位置に現れることしか許容せず、ハーフｓｌｏｔでＰＤＳＣＨを伝送することが許容されない。この場合、ハイレイヤによって、スケジューリングが行われるＴＴＩｎが偶数でなければならないと設定する。対応するＡＣＫ／ＮＡＣＫフィードバックとの間の時間間隔を算出する際に、ＤＬ  ｓｌｏｔの終了位置から計時を開始しなければならない。これを考慮すると、対応するＡＣＫ／ＮＡＣＫフィードバックは、第ｎ＋１＋ｋ1個のＴＴＩで送信される。同時に、簡単化のために、ＡＣＫ／ＮＡＣＫフィードバックがアップリンクｓｌｏｔの開始位置に現れることしか許容せず、ハーフｓｌｏｔでＡＣＫ／ＮＡＣＫをフィードバックすることが許容されない。この場合、ハイレイヤで設定されるｋ１は、ｎ＋１＋ｋ1が４の倍数であることを満たさなければならない。
３）ＰＵＳＣＨ伝送と、対応するＡＣＫ／ＮＡＣＫフィードバックとの間の時系列について、第ｎ＋１＋ｋ1個のＴＴＩでＰＵＳＣＨを送信し、ＡＣＫ／ＮＡＣＫフィードバックとの間の時間間隔を算出する際に、ＵＬ  ｓｌｏｔの終了位置から計時を開始しなければならないことを考慮すると、対応するＡＣＫ／ＮＡＣＫフィードバックは、第ｎ＋１＋ｋ1＋３＋ｋ2個のＴＴＩで送信される。簡単化のために、ＡＣＫ／ＮＡＣＫフィードバックがダウンリンクｓｌｏｔの開始位置に現れることしか許容せず、ハーフｓｌｏｔでＡＣＫ／ＮＡＣＫをフィードバックすることが許容されない。この場合、ハイレイヤで設定されるｋ2は、ｎ＋１＋ｋ1＋３＋ｋ2が偶数であることを満たさなければならない。
【００６０】
Ｂ）前記アップリンク伝送リソースのヌメロロジーの中のサブキャリア間隔が前記ダウンリンク伝送リソースのヌメロロジーの中のサブキャリア間隔のＷ（１より大きい整数であり、偶数であることが好ましい）倍であれば、前記第１時間領域伝送ユニットが番号ｎ（１より大きい整数）の単位粒度に位置する場合、前記第２時間領域伝送ユニットは、番号ｎ＋ｋ０（１より大きい整数）の単位粒度に位置し、かつ第１時間領域伝送ユニットがダウンリンク伝送リソースであり、第２時間領域伝送ユニットがアップリンク伝送リソースである場合、番号ｎの単位粒度は、第１時間領域伝送ユニットの中の所定の第３位置に位置し、番号ｎ＋ｋ０の単位粒度は、前記第２時間領域伝送ユニットの中の所定の第４位置に位置し、かつ、第１時間領域伝送ユニットと第２時間領域伝送ユニットとの間の時系列関係は、番号ｎの単位粒度が位置する前記第１時間領域伝送ユニットの終了位置から計時を開始する。
【００６１】
図８の図示を例とし、アップリンクのサブキャリア間隔は、３０ＫＨｚであり、ダウンリンクのサブキャリア間隔は、１５ＫＨｚである。
１）ＵＬ  ｇｒａｎｔとスケジューリング対象のＰＵＳＣＨとの間の時系列について、第ｎ個のＴＴＩでＵＬ  ｇｒａｎｔを送信し、簡単化のために、ＵＬ  ｇｒａｎｔがダウンリンクｓｌｏｔの開始位置に現れることしか許容せず、ダウンリンクｓｌｏｔのほかの位置でスケジューリング指示を送信することが許容されない。この場合、ハイレイヤによって、スケジューリングが行われるＴＴＩｎが４の倍数でなければならないと設定する。ＰＵＳＣＨとの間の時間間隔を算出する際に、ＤＬ  ｓｌｏｔの終了位置から計時を開始しなければならない。これを考慮すると、対応するＰＵＳＣＨ伝送は、第ｎ＋３＋ｋ1個のＴＴＩで送信される。同時に、簡単化のために、ＰＵＳＣＨ伝送がアップリンクｓｌｏｔの開始位置に現れることしか許容せず、ハーフｓｌｏｔでＰＵＳＣＨを伝送することが許容されない。この場合、ハイレイヤで設定されるｋ1は、ｎ＋３＋ｋ1が偶数であることを満たさなければならない。
２）ＰＤＳＣＨ伝送と、対応するＡＣＫ／ＮＡＣＫフィードバックとの間の時系列について、第ｎ個のＴＴＩでＰＤＳＣＨを送信し、簡単化のために、ＰＤＳＣＨがダウンリンクｓｌｏｔの開始位置に現れることしか許容せず、ダウンリンクｓｌｏｔのほかの位置でＰＤＳＣＨを送信することが許容されない。この場合、ハイレイヤによって、スケジューリングが行われるＴＴＩｎが４の倍数でなければならないと設定する。対応するＡＣＫ／ＮＡＣＫフィードバックとの間の時間間隔を算出する際に、ＤＬ  ｓｌｏｔの終了位置から計時を開始しなければならない。これを考慮すると、対応するＡＣＫ／ＮＡＣＫフィードバックは、第ｎ＋３＋ｋ1個のＴＴＩで送信される。同時に、簡単化のために、ＡＣＫ／ＮＡＣＫフィードバックがアップリンクｓｌｏｔの開始位置に現れることしか許容せず、ハーフｓｌｏｔでＡＣＫ／ＮＡＣＫをフィードバックすることが許容されない。この場合、ハイレイヤで設定されるｋ1は、ｎ＋３＋ｋ1が偶数であることを満たさなければならない。
３）ＰＵＳＣＨ伝送と、対応するＡＣＫ／ＮＡＣＫフィードバックとの間の時系列について、第ｎ＋３＋ｋ1個のＴＴＩでＰＵＳＣＨを送信し、ＡＣＫ／ＮＡＣＫフィードバックとの間の時間間隔を算出する際に、ＵＬ  ｓｌｏｔの終了位置から計時を開始しなければならないことを考慮すると、対応するＡＣＫ／ＮＡＣＫフィードバックは、第ｎ＋３＋ｋ1＋１＋ｋ2個のＴＴＩで送信される。簡単化のために、ＡＣＫ／ＮＡＣＫフィードバックがダウンリンクｓｌｏｔの開始位置に現れることしか許容せず、ｓｌｏｔのほかの位置でＡＣＫ／ＮＡＣＫをフィードバックすることが許容されない。この場合、ハイレイヤで設定されるｋ２は、ｎ＋３＋ｋ1＋１＋ｋ2が４の倍数であることを満たさなければならない。ここで、ｎ、ｋ1、ｋ2は、いずれも１より大きい整数である。
【００６２】
＜例６＞
前記アップリンク伝送リソースのヌメロロジーとダウンリンク伝送リソースのヌメロロジーとは、異なるシンボル長、同じシンボル数および異なるサブキャリア間隔を有し、または、前記アップリンク伝送リソースのヌメロロジーとダウンリンク伝送リソースのヌメロロジーとは、同じシンボル長、同じサブキャリア間隔および異なるシンボル数を有する。
【００６３】
本例において、２段階粒度の表現方式が用いられる。具体的に、前記時系列関係は、第１時間領域伝送ユニットに対する第２時間領域伝送ユニットの第１レベル粒度単位のシフト値ｋ3（１より大きい整数）と、前記第１レベル粒度における第２時間領域伝送ユニットの第１レベル粒度単位のシフト値ｋ4（１より大きい整数）を含む。
【００６４】
たとえば、ＵＬスケジューリングの時系列またはＰＵＳＣＨ／ＰＤＳＣＨのＡＣＫ／ＮＡＣＫフィードバック時系列は、（ｎ＋ｋ）＊ｇｒａｎｕａｌｉｔｙによって指示される。単位粒度ｇｒａｎｕａｌｉｔｙは、２段階に分けられる。第１レベル粒度は、１つのサブフレームの長さであり、すなわち１ｍｓである。第２レベル粒度は、アップリンクとダウンリンクの各自のヌメロロジーの具体的な指示である。
【００６５】
このようなスケジューリング方式は、従来のＬＴＥにおける１ｍｓの一定のサブフレーム長を利用し、各サブフレームで各自のヌメロロジーに対し、スロットの独自的番号付けを行うことによって、オーバヘッドを減少する。図９を例とすると、第ｎ（１より大きい整数）個のサブフレームでＵＬ  ｇｒａｎｔを送信することを考慮すると、ＰＵＳＣＨは、サブフレームｎ＋ｋ3、スロットｋ4で伝送される。
【００６６】
以上の例３〜例６において、動的ＴＤＤを考慮する場合、現在のアップリンクとダウンリンクのヌメロロジーと時間領域伝送ユニットの伝送方向をダウンリンク制御情報（ＤＣＩ）で端末に通知することによって、端末が対応するＨＡＲＱ時系列を特定することに寄与する。
【００６７】
以上の記載によれば、本開示の実施例の無線通信システムの情報伝送方法において、アップリンクとダウンリンクで異なるヌメロロジーが用いられる場合の単位粒度が与えられ、当該単位粒度を単位に、対応する時系列関係を与え、５Ｇ  ＮＲのスケジューリング設計の基本となる。
【００６８】
以上提供された方法に基づいて、本開示の実施例は、上記方法を実施する機器をさらに提供する。図１０を参照し、本開示の実施例は、無線通信システムの伝送機器を提供する。当該機器は、基地局または端末である。図１０に示すように、当該機器は、通信相手から第１時間領域伝送ユニットで送信される第１情報を受信する受信ユニット１０１と、第２時間領域伝送ユニットで通信相手に第２情報を送信する送信ユニット１０２とを含む。ここで、各時間領域伝送ユニットは、アップリンク伝送リソースまたはダウンリンク伝送リソースに対応し、アップリンク伝送リソースとダウンリンク伝送リソースとは、異なるヌメロロジーを有し、第１時間領域伝送ユニットと第２時間領域伝送ユニットとの間の時系列関係は、参照ヌメロロジーに対応する単位粒度を単位に示される。
【００６９】
ここで、前記ヌメロロジーは、サブキャリア間隔、シンボル長、時間領域伝送ユニットの中のシンボル数のうちの少なくとも１つを含む。前記参照ヌメロロジーは、ダウンリンク伝送リソースのヌメロロジーとは異なり、または、アップリンク伝送リソースのヌメロロジーとは異なり、または、アップリンク伝送リソースとダウンリンク伝送リソースのヌメロロジーとは異なる。
【００７０】
選択可能に、前記時系列関係は、第１時間領域伝送ユニットに対する第２時間領域伝送ユニットのシフト値ｋ０を含み、前記シフト値ｋ０は、前記単位粒度を単位に示される。
【００７１】
選択可能に、前記通信相手が端末である場合、前記装置は、前記時系列関係、アップリンク伝送リソースのヌメロロジー、ダウンリンク伝送リソースのヌメロロジー、時間領域伝送ユニットの伝送方向および前記単位粒度のうちの少なくとも１つを、予め前記端末に対し設定する設定ユニットをさらに含む。
【００７２】
選択可能に、前記送信ユニットは、第１情報が位置する単位粒度の第１番号および前記時系列関係に基づいて第２番号を特定する特定ユニットと、前記第２番号に対応する第２時間領域伝送ユニットで第２情報を送信する送信処理ユニットとを含む。
【００７３】
上記例１に対応し、前記アップリンク伝送リソースのヌメロロジーの中のシンボル長とサブキャリア間隔との第１乗算値と、ダウンリンク伝送リソースのヌメロロジーの中のシンボル長とサブキャリア間隔との第２乗算値とは、等しく、かつ、アップリンク伝送リソースとダウンリンク伝送リソースのヌメロロジーに対応する時間領域伝送ユニットは、同じ時間領域長を有する。前記単位粒度は、アップリンク伝送リソースまたはダウンリンク伝送リソースのヌメロロジーに対応する時間領域伝送ユニットである。
【００７４】
上記例２に対応し、前記アップリンク伝送リソースのヌメロロジーとダウンリンク伝送リソースのヌメロロジーとは、異なるシンボル長、同じシンボル数および異なるサブキャリア間隔を有し、または、前記アップリンク伝送リソースのヌメロロジーとダウンリンク伝送リソースのヌメロロジーとは、同じシンボル長、同じサブキャリア間隔および異なるシンボル数を有する。前記単位粒度は、ダウンリンク伝送リソースのヌメロロジーに対応する時間領域伝送ユニットおよびアップリンク伝送リソースのヌメロロジーに対応する時間領域伝送ユニットを含む。第１時間領域伝送ユニットと第２時間領域伝送ユニットが動的に変更する場合、前記時系列関係は、第２時間領域伝送ユニットの終了位置の指示情報をさらに含むことが好ましい。
【００７５】
上記例３に対応し、前記アップリンク伝送リソースのヌメロロジーとダウンリンク伝送リソースのヌメロロジーとは、異なるシンボル長、同じシンボル数および異なるサブキャリア間隔を有し、または、前記アップリンク伝送リソースのヌメロロジーとダウンリンク伝送リソースのヌメロロジーとは、同じシンボル長、同じサブキャリア間隔および異なるシンボル数を有する。前記単位スケジューリング粒度は、ダウンリンク伝送リソースのヌメロロジーに対応する時間領域伝送ユニットである。
【００７６】
選択可能に、前記ダウンリンク伝送リソースのヌメロロジーの中のサブキャリア間隔が前記アップリンク伝送リソースのヌメロロジーの中のサブキャリア間隔のＷ（１より大きい整数であり、偶数であることが好ましい）倍であり、または、前記アップリンク伝送リソースのヌメロロジーに対応する時間領域伝送ユニットのシンボル数が前記ダウンリンク伝送リソースのヌメロロジーに対応する時間領域伝送ユニットのシンボル数のＷ倍であれば、前記第１時間領域伝送ユニットが番号ｎの単位粒度に位置する場合、前記第２時間領域伝送ユニットは、番号ｎ＋ｋ０の単位粒度に位置し、かつ第１時間領域伝送ユニットがダウンリンク伝送リソースであり、第２時間領域伝送ユニットがアップリンク伝送リソースである場合、番号ｎ＋ｋ０の単位粒度は、前記第２時間領域伝送ユニットの中の所定位置に位置し、かつ第１時間領域伝送ユニットがアップリンク伝送リソースであり、第２時間領域伝送ユニットがダウンリンク伝送リソースである場合、第１時間領域伝送ユニットと第２時間領域伝送ユニットとの間の時系列関係として、番号ｎの単位粒度が位置する前記第１時間領域伝送ユニットの終了位置から計時を開始する。前記アップリンク伝送リソースのヌメロロジーの中のサブキャリア間隔が前記ダウンリンク伝送リソースのヌメロロジーの中のサブキャリア間隔のＷ倍であり、または、前記ダウンリンク伝送リソースのヌメロロジーに対応する時間領域伝送ユニットのシンボル数が前記アップリンク伝送リソースのヌメロロジーに対応する時間領域伝送ユニットのシンボル数のＷ倍であれば、前記第１時間領域伝送ユニットが番号ｎの単位粒度に位置する場合、前記第２時間領域伝送ユニットは、番号ｎ＋ｋ０の単位粒度に位置し、かつ第１時間領域伝送ユニットがダウンリンク伝送リソースであり、第２時間領域伝送ユニットがアップリンク伝送リソースである場合、前記時系列関係は、前記番号ｎ＋ｋ０の単位粒度における前記第２時間領域伝送ユニットの位置指示情報をさらに含み、かつ第１時間領域伝送ユニットがアップリンク伝送リソースであり、第２時間領域伝送ユニットがダウンリンク伝送リソースである場合、第１時間領域伝送ユニットと第２時間領域伝送ユニットとの間の時系列関係として、番号ｎの単位粒度の終了位置から計時を開始する。
【００７７】
上記例４に対応し、前記アップリンク伝送リソースのヌメロロジーとダウンリンク伝送リソースのヌメロロジーとは、異なるシンボル長、同じシンボル数および異なるサブキャリア間隔を有し、または、前記アップリンク伝送リソースのヌメロロジーとダウンリンク伝送リソースのヌメロロジーとは、同じシンボル長、同じサブキャリア間隔および異なるシンボル数を有する。前記単位粒度は、アップリンク伝送リソースのヌメロロジーに対応する時間領域伝送ユニットである。
【００７８】
選択可能に、前記ダウンリンク伝送リソースのヌメロロジーの中のサブキャリア間隔が前記アップリンク伝送リソースのヌメロロジーの中のサブキャリア間隔のＷ（１より大きい整数であり、偶数であることが好ましい）倍であり、または、前記アップリンク伝送リソースのヌメロロジーに対応する時間領域伝送ユニットのシンボル数が前記ダウンリンク伝送リソースのヌメロロジーに対応する時間領域伝送ユニットのシンボル数のＷ倍であれば、前記第１時間領域伝送ユニットが番号ｎの単位粒度に位置する場合、前記第２時間領域伝送ユニットは、番号ｎ＋ｋ０の単位粒度に位置し、かつ第１時間領域伝送ユニットがアップリンク伝送リソースであり、第２時間領域伝送ユニットがダウンリンク伝送リソースである場合、前記時系列関係は、前記番号ｎ＋ｋ０の単位粒度における前記第２時間領域伝送ユニットの位置指示情報をさらに含み、かつ第１時間領域伝送ユニットがダウンリンク伝送リソースであり、第２時間領域伝送ユニットがアップリンク伝送リソースである場合、第１時間領域伝送ユニットと第２時間領域伝送ユニットとの間の時系列関係として、番号ｎの単位粒度の終了位置から計時を開始する。前記アップリンク伝送リソースのヌメロロジーの中のサブキャリア間隔が前記ダウンリンク伝送リソースのヌメロロジーの中のサブキャリア間隔のＷ倍であり、または、前記ダウンリンク伝送リソースのヌメロロジーに対応する時間領域伝送ユニットのシンボル数が前記アップリンク伝送リソースのヌメロロジーに対応する時間領域伝送ユニットのシンボル数のＷ倍であれば、前記第１時間領域伝送ユニットが番号ｎの単位粒度に位置する場合、前記第２時間領域伝送ユニットは、番号ｎ＋ｋ０の単位粒度に位置し、かつ第１時間領域伝送ユニットがダウンリンク伝送リソースであり、第２時間領域伝送ユニットがアップリンク伝送リソースである場合、番号ｎの単位粒度は、第１時間領域伝送ユニットの中の所定の第１位置に位置し、第１時間領域伝送ユニットと第２時間領域伝送ユニットとの間の時系列関係として、番号ｎの単位粒度が位置する前記第１時間領域伝送ユニットの終了位置から計時を開始し、第１時間領域伝送ユニットがアップリンク伝送リソースであり、第２時間領域伝送ユニットがダウンリンク伝送リソースである場合、番号ｎ＋ｋ０の単位粒度は、前記第２時間領域伝送ユニットの所定の第２位置に位置する。
【００７９】
上記例５に対応し、前記アップリンク伝送リソースのヌメロロジーとダウンリンク伝送リソースのヌメロロジーとは、異なるシンボル長、同じシンボル数および異なるサブキャリア間隔を有し、または、前記アップリンク伝送リソースのヌメロロジーとダウンリンク伝送リソースのヌメロロジーとは、同じシンボル長、同じサブキャリア間隔および異なるシンボル数を有する。前記単位粒度は、参照ヌメロロジーに対応する時間領域伝送ユニットであり、かつアップリンクとダウンリンク伝送リソースのヌメロロジーに対応する時間領域伝送ユニットの時間領域長は、ともに前記参照ヌメロロジーに対応する時間領域伝送ユニットの整数倍である。
【００８０】
選択可能に、前記ダウンリンク伝送リソースのヌメロロジーの中のサブキャリア間隔が前記アップリンク伝送リソースのヌメロロジーの中のサブキャリア間隔のＷ（１より大きい整数であり、偶数であることが好ましい）倍であり、または、前記アップリンク伝送リソースのヌメロロジーに対応する時間領域伝送ユニットのシンボル数が前記ダウンリンク伝送リソースのヌメロロジーに対応する時間領域伝送ユニットのシンボル数のＷ倍であり、または、前記アップリンク伝送リソースのヌメロロジーの中のサブキャリア間隔が前記ダウンリンク伝送リソースのヌメロロジーの中のサブキャリア間隔のＷ倍であり、または、前記ダウンリンク伝送リソースのヌメロロジーに対応する時間領域伝送ユニットのシンボル数が前記アップリンク伝送リソースのヌメロロジーに対応する時間領域伝送ユニットのシンボル数のＷ倍であれば、前記第１時間領域伝送ユニットが番号ｎの単位粒度に位置する場合、前記第２時間領域伝送ユニットは、番号ｎ＋ｋ０の単位粒度に位置し、かつ第１時間領域伝送ユニットがダウンリンク伝送リソースであり、第２時間領域伝送ユニットがアップリンク伝送リソースである場合、番号ｎの単位粒度は、第１時間領域伝送ユニットの中の所定の第３位置に位置し、番号ｎ＋ｋ０の単位粒度は、前記第２時間領域伝送ユニットの中の所定の第４位置に位置し、かつ、第１時間領域伝送ユニットと第２時間領域伝送ユニットとの間の時系列関係は、番号ｎの単位粒度が位置する前記第１時間領域伝送ユニットの終了位置から計時を開始する。第１時間領域伝送ユニットがアップリンク伝送リソースであり、第２時間領域伝送ユニットがダウンリンク伝送リソースである場合、番号ｎ＋ｋ０の単位粒度は、前記第２時間領域伝送ユニットの中の所定の第５位置に位置し、かつ、第１時間領域伝送ユニットと第２時間領域伝送ユニットとの間の時系列関係は、番号ｎの単位粒度が位置する前記第１時間領域伝送ユニットの終了位置から計時を開始する。
【００８１】
上記例６に対応し、前記アップリンク伝送リソースのヌメロロジーとダウンリンク伝送リソースのヌメロロジーとは、異なるシンボル長、同じシンボル数および異なるサブキャリア間隔を有し、または、前記アップリンク伝送リソースのヌメロロジーとダウンリンク伝送リソースのヌメロロジーとは、同じシンボル長、同じサブキャリア間隔および異なるシンボル数を有する。前記時系列関係は、第１時間領域伝送ユニットに対する第２時間領域伝送ユニットの第１レベル粒度単位のシフト値ｋ１と、前記第１レベル粒度における第２時間領域伝送ユニットの第１レベル粒度単位のシフト値ｋ２を含む。
【００８２】
図１１を参照する。図１１は、本開示の実施例における無線通信システムの伝送機器の構造図である。当該電子機器は、端末または基地局である。当該電子機器は、プロセッサ１１００と、バスインタフェースを介して前記プロセッサ１１００に接続されるメモリ１１２０と、バスインタフェースを介してプロセッサ１１００に接続されるトランシーバ１１１０とを含む。前記メモリ１１２０は、前記プロセッサの操作実行に用いられるプログラムとデータを記憶する。前記トランシーバ１１１０によってデータ情報またはパイロットを送信し、さらに前記トランシーバ１１１０によってアップリンク制御チャネルを受信する。プロセッサ１１００は、前記メモリ１１２０に記憶されているプログラムとデータを呼び出して実行する。
【００８３】
具体的に、プロセッサ１１００は、メモリ１１２０からプログラムを読み取ることによって、具体的に、通信相手から第１時間領域伝送ユニットで送信される第１情報を受信する機能と、第２時間領域伝送ユニットで通信相手に第２情報を送信する機能とを実行する。ここで、各時間領域伝送ユニットは、アップリンク伝送リソースまたはダウンリンク伝送リソースに対応し、アップリンク伝送リソースとダウンリンク伝送リソースとは、異なるヌメロロジーを有し、第１時間領域伝送ユニットと第２時間領域伝送ユニットとの間の時系列関係は、参照ヌメロロジーに対応する単位粒度を単位に示される。
【００８４】
ここで、前記時系列関係は、第１時間領域伝送ユニットに対する第２時間領域伝送ユニットのシフト値ｋ０を含み、前記シフト値ｋ０は、前記単位粒度を単位に示される。
【００８５】
トランシーバ１１１０は、プロセッサ１１００の制御によってデータを送受信する。
【００８６】
ここで、図１１において、バスアーキテクチャは、任意数の相互接続するバスとブリッジを含み、具体的に、プロセッサ１１００をはじめとする１つ又は複数のプロセッサとメモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１１０は、複数の部品であってもよく、即ち送信機と受信機を含み、伝送媒体でほかの各種類の装置と通信するユニットとして提供される。プロセッサ１１００は、バスアーキテクチャと通常の処理を管理する。メモリ１１２０は、プロセッサ１１００による操作実行に使用されるデータを記憶できる。
【００８７】
具体的に、プロセッサ１１００は、さらに、前記時系列関係、アップリンク伝送リソースのヌメロロジー、ダウンリンク伝送リソースのヌメロロジー、時間領域伝送ユニットの伝送方向および前記単位粒度のうちの少なくとも１つを、予め前記端末に対し設定する。
【００８８】
具体的に、プロセッサ１１００は、さらに、第１情報が位置する単位粒度の第１番号および前記時系列関係に基づいて第２番号を特定し、前記第２番号に対応する第２時間領域伝送ユニットで第２情報を送信する。
【００８９】
本開示の実施例において、コンピュータプログラムが記憶されているコンピュータ読み取り可能な記憶媒体をさらに提供する。前記コンピュータプログラムがプロセッサによって実行されると、上記いずれか１つの方法実施例における方法のステップが実現される。
【００９０】
本明細書に開示された実施例に記載の各例のユニットおよびアルゴリズムのステップが、電子ハードウェア、またはコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【００９１】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【００９２】
本願で提供されるいくつかの実施例において、開示された装置および方法は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【００９３】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部またはすべてのユニットを選択して本開示の実施例の目的を実現する。
【００９４】
また、本開示の各実施例における各機能的ユニットは、１つの処理ユニットに一体化されていてもよいし、物理的に別々に設けられていてもよいし、２つ以上が一体化されてもよい。
【００９５】
前記一体化ユニットは、ソフトウェア機能モジュールの形式で実現され独立した製品として販売または使用される場合、コンピュータ読み取り可能な記憶媒体に格納されてもよい。このような理解に基づき、本開示の技術手段の実質的または従来技術に貢献した部分、または当該技術手段の部分は、ソフトウェアプロダクトの形式で現れる。当該コンピュータソフトウェアプロダクトは、記憶媒体に記憶され、本開示の各実施例に記載の方法のすべてまたは一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスクまたは光ディスクなど、プログラムコードを格納することができる様々な媒体を含む。
【００９６】
以上の記載は、単に本開示の具体的な実施形態であるが、本開示の保護範囲は、これらに限定されない。当業者が本開示によって開示されている技術範囲内で容易に想到できる変化や置換は、すべて本開示の保護範囲内に含まれる。よって、本開示の保護範囲は、特許請求の範囲の保護範囲を基準とするべきである。
【図１】
2020524961.tif 000003
【図２】
2020524961.tif 000004
【図３】
2020524961.tif 000005
【図４】
2020524961.tif 000006
【図５】
2020524961.tif 000007
【図６】
2020524961.tif 000008
【図７】
2020524961.tif 000009
【図８】
2020524961.tif 000010
【図９】
2020524961.tif 000011
【図１０】
2020524961.tif 000012
【図１１】
2020524961.tif 000013
【国際調査報告】
2020524961.tif 000014
2020524961.tif 000015
2020524961.tif 000016
2020524961.tif 000017